(57)【要約】 【課題】ＩＤカード発行を効率的に行う。【解決手段】ＩＤカード発行システム１は、それぞれ異なるＩＤカード発行対象者を撮影した複数の撮影画像データを生成する複数の撮影装置２と、複数の撮影画像データを読み込む読込装置３と、複数の撮影装置から読込装置に、有線または無線により、複数の撮影画像データを送信するネットワーク４と、読込装置に読み込まれた複数の撮影画像データのうち、複数の撮影装置のそれぞれが対応する期間内に撮影した所定数の撮影画像データを、複数の撮影装置のそれぞれごとに時期をずらして、一括して所定数のカードに印画する発行装置５と、を備える。【選択図】図１
2019101864.tif 000002
【特許請求の範囲】
【請求項１】
それぞれ異なるＩＤカード発行対象者を撮影した複数の撮影画像データを生成する複数の撮影装置と、
前記複数の撮影画像データを読み込む読込装置と、
前記複数の撮影装置から前記読込装置に、有線または無線により、前記複数の撮影画像データを送信するネットワークと、
前記読込装置に読み込まれた前記複数の撮影画像データのうち、前記複数の撮影装置のそれぞれが対応する期間内に撮影した所定数の前記撮影画像データを、前記複数の撮影装置のそれぞれごとに時期をずらして、一括して所定数のカードに印画する発行装置と、を備えるＩＤカード発行システム。
【請求項２】
前記複数の撮影装置のそれぞれは、
前記ネットワークを介して接続される前記読込装置との接続処理に成功したか否かを判定する接続処理判定部と、
前記接続処理に成功した場合に、前記撮影画像データを前記ネットワークを介して前記読込装置に送信することを指示する第１フラグ情報を設定する第１フラグ設定部と、
前記第１フラグ情報が設定されている場合に、前記撮影画像データを前記ネットワークを介して前記読込装置に送信するオンライン処理部と、を有する、請求項１に記載のＩＤカード発行システム。
【請求項３】
前記複数の撮影装置のそれぞれは、
前記撮影画像データを記憶する第１記憶部と、
前記撮影装置に接続された外部記録媒体のマウント処理を行うマウント処理部と、
前記外部記録媒体のマウント処理に成功した場合に、前記撮影画像データを前記外部記録媒体に記録することを示す第２フラグ情報を設定する第２フラグ設定部と、
前記外部記録媒体のマウント処理に失敗した場合に、前記撮影画像データを前記第１記憶部に記憶することを示す第３フラグ情報を設定する第３フラグ設定部と、を有する、請求項２に記載のＩＤカード発行システム。
【請求項４】
前記オンライン処理部は、前記第３フラグ情報が設定されている状態で、前記接続処理判定部にて前記接続処理に成功したと判定された場合には、前記第１記憶部に記憶されている前記撮影画像データを前記ネットワークを介して前記読込装置に送信する、請求項３に記載のＩＤカード発行システム。
【請求項５】
前記オンライン処理部は、前記第１フラグ情報が設定されている場合には、新たなＩＤカード発行対象者の前記撮影画像データを生成するたびに、新たに生成した前記撮影画像データを前記ネットワークを介して前記読込装置に送信し、
前記読込装置は、前記複数の撮影装置から前記ネットワークを介して送信された前記撮影画像データ、または前記外部記録媒体に記憶されている前記撮影画像データを記憶する第２記憶部を有し、
前記発行装置は、所定期間内に同一の撮影装置で撮影されて前記第２記憶部に記憶された前記所定数の撮影画像データを一括して前記所定数のカードに印画する、請求項３または４に記載のＩＤカード発行システム。
【請求項６】
前記複数の撮影装置のそれぞれは、前記発行装置が一括して印画する前記所定数の撮影画像データを前記読込装置内の前記第２記憶部に記憶し終わったことを示す第４フラグ情報を設定する第４フラグ設定部を有し、
前記オンライン処理部は、前記第４フラグ設定部が前記第４フラグ情報を設定した場合には、前記撮影画像データとともに前記第４フラグ情報を前記読込装置に送信し、
前記読込装置は、
前記第４フラグ情報が設定されているか否かを判定する第１フラグ判定部と、
前記第１フラグ判定部にて前記第４フラグ情報が設定されていると判定されると、前記第４フラグ情報を送信した前記撮影装置で撮影された前記所定数の撮影画像データを前記発行装置に転送する転送制御部と、を有する、請求項５に記載のＩＤカード発行システム。
【請求項７】
前記読込装置は、前記第４フラグ情報は設定されておらず、かつ前記第２フラグ情報が設定されているか否かを判定する第２フラグ判定部を有し、
前記転送制御部は、前記第２フラグ判定部にて前記第２フラグ情報が設定されていると判定されると、前記外部記録媒体に記録されている全ての前記撮影画像データを前記発行装置に転送する、請求項６に記載のＩＤカード発行システム。
【発明の詳細な説明】
【技術分野】
【０００１】
本開示は、ＩＤカード発行対象者の撮影画像データをカードに印画するＩＤカード発行システムに関する。
【背景技術】
【０００２】
社員証や学生証などのＩＤカードには、所持者（以下、ＩＤカード発行対象者と呼ぶ）の顔画像が印画されている。ＩＤカード発行対象者の顔画像の撮影は、複数の撮影拠点で行われるのに対し、顔画像等をカードに印画する発行装置は、一つの拠点（以下、ＩＤカード発行拠点）に置かれていることが多い。この場合、従来は、複数のＩＤカード発行対象者の顔画像を撮影した撮影画像データを記憶した記録メディアを各撮影拠点からＩＤカード発行拠点に物理的に搬送し、ＩＤカード発行拠点では、各記録メディアごとに、記録メディア内の撮影画像データを一括して複数のカードに印画する処理を行っていた（特許文献１参照）。
【先行技術文献】
【特許文献】
【０００３】
【特許文献１】特開２０１５−２３３１９号公報
【発明の概要】
【発明が解決しようとする課題】
【０００４】
記録メディアを物理的に搬送するやり方では、搬送途中に記録メディアが紛失したり、事故等により損傷して読み出し不能になるおそれがある。
【０００５】
その一方で、最近は、ネットワークを介して機密情報や個人情報をセキュアに送受できる技術が確立され、さらには、ネットワークを介して大容量のデータも送受できるようになってきた。
【０００６】
しかしながら、何らかの原因によりネットワーク障害が起きると、ネットワーク伝送が行えなくなるため、ネットワーク伝送のみを前提としたＩＤカード発行システムでは、ネットワーク障害が起きた場合には、ＩＤカードの発行ができなくなってしまう。
【０００７】
また、撮影画像データが記憶された記録メディアを物理的に搬送していた従来型のシステムから、撮影画像データをネットワークで伝送する新システムに切り替える場合、システムの移行期間には、記録メディアの物理的な搬送と撮影画像データのネットワーク伝送の両方に対応可能にする必要がある。
【０００８】
本開示が解決しようとする課題は、ＩＤカード発行を効率的に行うことが可能なＩＤカード発行システムを提供するものである。
【課題を解決するための手段】
【０００９】
上記の課題を解決するために、本開示の一態様では、それぞれ異なるＩＤカード発行対象者を撮影した複数の撮影画像データを生成する複数の撮影装置と、
前記複数の撮影画像データを読み込む読込装置と、
前記複数の撮影装置から前記読込装置に、有線または無線により、前記複数の撮影画像データを送信するネットワークと、
前記読込装置に読み込まれた前記複数の撮影画像データのうち、前記複数の撮影装置のそれぞれが対応する期間内に撮影した所定数の前記撮影画像データを、前記複数の撮影装置のそれぞれごとに時期をずらして、一括して所定数のカードに印画する発行装置と、を備えるＩＤカード発行システムが提供される。
【００１０】
前記複数の撮影装置のそれぞれは、
前記ネットワークを介して接続される前記読込装置との接続処理に成功したか否かを判定する接続処理判定部と、
前記接続処理に成功した場合に、前記撮影画像データを前記ネットワークを介して前記読込装置に送信することを指示する第１フラグ情報を設定する第１フラグ設定部と、
前記第１フラグ情報が設定されている場合に、前記撮影画像データを前記ネットワークを介して前記読込装置に送信するオンライン処理部と、を有してもよい。
【００１１】
前記複数の撮影装置のそれぞれは、
前記撮影画像データを記憶する第１記憶部と、
前記撮影装置に接続された外部記録媒体のマウント処理を行うマウント処理部と、
前記外部記録媒体のマウント処理に成功した場合に、前記撮影画像データを前記外部記録媒体に記録することを示す第２フラグ情報を設定する第２フラグ設定部と、
前記外部記録媒体のマウント処理に失敗した場合に、前記撮影画像データを前記第１記憶部に記憶することを示す第３フラグ情報を設定する第３フラグ設定部と、を有してもよい。
【００１２】
前記オンライン処理部は、前記第３フラグ情報が設定されている状態で、前記接続処理判定部にて前記接続処理に成功したと判定された場合には、前記第１記憶部に記憶されている前記撮影画像データを前記ネットワークを介して前記読込装置に送信してもよい。
【００１３】
前記オンライン処理部は、前記第１フラグ情報が設定されている場合には、新たなＩＤカード発行対象者の前記撮影画像データを生成するたびに、新たに生成した前記撮影画像データを前記ネットワークを介して前記読込装置に送信し、
前記読込装置は、前記複数の撮影装置から前記ネットワークを介して送信された前記撮影画像データ、または前記外部記録媒体に記憶されている前記撮影画像データを記憶する第２記憶部を有し、
前記発行装置は、所定期間内に同一の撮影装置で撮影されて前記第２記憶部に記憶された前記所定数の撮影画像データを一括して前記所定数のカードに印画してもよい。
【００１４】
前記複数の撮影装置のそれぞれは、前記発行装置が一括して印画する前記所定数の撮影画像データを前記読込装置内の前記第２記憶部に記憶し終わったことを示す前記第４フラグ情報を設定する第４フラグ設定部を有し、
前記オンライン処理部は、前記第４フラグ設定部が前記第４フラグ情報を設定した場合には、前記撮影画像データとともに前記第４フラグ情報を前記読込装置に送信し、
前記読込装置は、
前記第４フラグ情報が設定されているか否かを判定する第１フラグ判定部と、
前記第１フラグ判定部にて前記第４フラグ情報が設定されていると判定されると、前記第４フラグ情報を送信した前記撮影装置で撮影された前記所定数の撮影画像データを前記発行装置に転送する転送制御部と、を有してもよい。
【００１５】
前記読込装置は、前記第４フラグ情報は設定されておらず、かつ前記第２フラグ情報が設定されているか否かを判定する第２フラグ判定部を有し、
前記転送制御部は、前記第２フラグ判定部にて前記第２フラグ情報が設定されていると判定されると、前記外部記録媒体に記録されている全ての前記撮影画像データを前記発行装置に転送してもよい。
【発明の効果】
【００１６】
本開示によれば、ＩＤカード発行を効率的に行うことができる。
【図面の簡単な説明】
【００１７】
【図１】ＩＤカード発行システムの概略構成を示すブロック図。
【図２】撮影装置と読込装置の内部構成の一例を示すブロック図。
【図３】撮影装置の外観を示す斜視図。
【図４】制御部の内部構成の一例を示すブロック図。
【図５】本実施形態による撮影装置２の処理動作を示すフローチャート。
【図６Ａ】図５のステップＳ１９の撮影処理の処理動作を示すフローチャート。
【図６Ｂ】図６Ａに続くフローチャート。
【図７】オンライン処理部が行うオンライン処理の処理動作を示すフローチャート。
【図８】読込装置の処理動作を示すフローチャート。
【発明を実施するための形態】
【００１８】
以下、図面を参照して実施の形態について説明する。なお、本件明細書と添付図面においては、理解のしやすさと図示の便宜上、一部の構成部分を省略、変更または簡易化して説明および図示しているが、同様の機能を期待し得る程度の技術内容も、本実施の形態に含めて解釈することとする。また、本件明細書に添付する図面においては、図示と理解のしやすさの便宜上、適宜縮尺および縦横の寸法比等を、実物から変更し誇張してある。
【００１９】
図１はＩＤカード発行システム１の概略構成を示すブロック図である。図１のＩＤカード発行システム１は、例えば社員証や学生証などの身分証明が可能な顔画像が印画されているＩＤカードを発行するものであるが、具体的なカードの種類は問わない。例えば、カードには、クレジットカードやプリペイドカード、キャッシュカード、パスポートなどの、表面に顔画像や文字情報等が印画される種々のものが含まれ、具体的なサイズや形状は問わない。カードの内部に、メモリやＣＰＵ（Central Processing Unit）等のＩＣチップが内蔵されていてもよいし、内蔵されていなくてもよい。
【００２０】
図１のＩＤカード発行システム１は、複数の撮影装置２と、読込装置３と、ネットワーク４と、発行装置５とを備えている。必要に応じて、図１のＩＤカード発行システム１はホストコンピュータ６を備えていてもよい。複数の撮影装置２は、それぞれ異なる拠点（以下、撮影拠点とも呼ぶ）に設けられている。複数の撮影装置２が設置される拠点の具体的な場所や拠点数は特に問わない。各撮影装置２は、ＩＤカード発行対象者を撮影した撮影画像データを生成する。撮影画像データは、例えばＩＤカード発行対象者の顔画像を撮影した顔画像データである。あるいは、撮影画像データは、ＩＤカード発行対象者の上半身や全身等を撮影したデータであってもよい。
【００２１】
複数の撮影装置２は、ネットワーク４に接続されている。個々の撮影装置２は、その拠点を訪れたＩＤカード発行対象者の撮影画像データを生成すると、その撮影画像データを、ネットワーク４を介して読込装置３に送信する。ネットワーク４は、有線でも無線でもよく、複数の撮影装置２と読込装置３間で撮影画像データを高速に伝送可能な伝送能力を有する。後述するように、ネットワーク障害が起きた場合には、複数の撮影装置２は、その内部の第１記憶部に撮影画像データを記憶できるようにしている。さらに、複数の撮影装置２は、外部接続された外部記録媒体に撮影画像データを記憶することも可能である。
【００２２】
読込装置３は、ネットワーク４を介して送信されてきた撮影画像データを受信して、読込装置３の内部の第２記憶部に保存する。読込装置３は、各撮影拠点で所定期間内に撮影された複数の撮影画像データを一括して第２記憶部から読み出して発行装置５に転送する。このように、読込装置３は、各撮影拠点の撮影装置２ごとに、第２記憶部に記憶された複数枚の撮影画像データを発行装置５に転送する。図１のＩＤカード発行システム１がホストコンピュータ６を備えている場合には、読込装置３はＩＤカードの発行処理を行う際にホストコンピュータ６に問い合わせて個人情報を取得し、取得した個人情報を発行装置５に送信する。また、図１のＩＤカード発行システム１がホストコンピュータ６を備えていない場合には、撮影装置２がネットワーク４を介して読込装置３に個人情報を送信するか、あるいは読込装置３で個人情報を入力する。
【００２３】
発行装置５は、読込装置３から転送された撮影画像データを含む印画情報を順にカードに印画する。カードに印画される印画情報は、撮影画像データの他には、ＩＤカード発行対象者が撮影装置２にて提出した申請書に記載された種々の情報、例えば、ＩＤカード発行対象者の氏名や住所、年齢などと、撮影装置２が付与する発行番号などであり、具体的な情報の種類は問わない。読込装置３と発行装置５は、例えば同じ場所に近接して配置される。あるいは、読込装置３と発行装置５を別個の場所に配置して、両装置間でネットワークを介して種々のデータの送受を行ってもよい。
【００２４】
発行装置５で印画を行ったＩＤカードは、各拠点ごとに分けて、各拠点に物理的に搬送される。本実施形態では、各拠点の撮影装置２で所定期間内に撮影された撮影画像データ等を、一括して発行装置５で複数のカードに印画することを前提としている。例えば、発行装置５は、ある日には、拠点Ａの撮影装置２が期間Ｂ内に撮影した撮影画像データを一括して複数のカードに印画し、次の日には、拠点Ｃの撮影装置２が期間Ｄ内に撮影した撮影画像データを一括して複数のカードに印画する処理を行う。このようにして印画された複数のＩＤカードは、撮影を行った各拠点に搬送業者等を介して返送される。
【００２５】
図２は撮影装置２と読込装置３の内部構成の一例を示すブロック図、図３は撮影装置２の外観を示す斜視図である。図２では、１つの撮影装置２を図示しているが、実際には図１に示すように、複数の撮影装置２がネットワーク４に接続されている。図３に示す撮影装置２は一例であり、撮影装置２の外観は問わない。
【００２６】
図２に示すように、撮影装置２は、制御部１１と、撮影部１２と、照明部１３と、第１記憶部１４と、リーダライタ１５と、スキャナ１６と、表示部１７と、操作部１８とを有する。
制御部１１は、撮影装置２内の各部を制御する。操作部１８は、撮影装置２の操作者によって操作され、例えば撮影部１２に対する撮影指示などを行う。操作部１８は、キーボードやマウス等でもよいし、表示部１７に組み込まれたタッチセンサでもよい。撮影部１２は、操作部１８の操作に応じてＩＤカード発行対象者を撮影して撮影画像データを生成する。第１記憶部１４は、撮影画像データを記憶する。表示部１７は、各種の情報を表示する。例えば、撮影部１２が撮影した撮影画像データを表示部１７に表示してもよい。撮影部１２が撮影する際には、必要に応じて、照明部１３がＩＤカード発行対象者を照明する。照明部１３の照明制御は、例えば操作部１８にて行われる。あるいは、照明部１３は、周囲の明るさを自動検知して、暗いと判断された場合のみ照明してもよい。
【００２７】
スキャナ１６は、ＩＤカード発行対象者の申請書をスキャンして申請書画像データを生成する。申請書画像データは、撮影画像データと関連づけて第１記憶部１４に記憶される。その際、申請書画像データをＯＣＲ（Optical Character Recognition）で文字認識を行って生成した文字情報も合わせて第１記憶部１４に記憶してもよい。ネットワーク障害が起きた場合等に外部記録媒体（例えば、ＵＳＢメモリやＳＤカードなど）に撮影画像データ等を記憶できるように、リーダライタ１５が設けられている。外部記録媒体は、リーダライタ１５に挿脱自在とされている。外部記録媒体に記憶された撮影画像データ等は、搬送業者等を介して、物理的に読込装置３に搬送される。何らかの事情でネットワーク障害が起きた場合等に、例外的に外部記録媒体に撮影画像データが記憶される。
【００２８】
図３に示すように、撮影装置２の筐体４１の上面４１Ａは、表示部１７側の前方縁４１ａと、表示部１７と反対側の後方縁４１ｂとを有する矩形状になっている。撮影装置２の操作者は、筐体４１の前方縁４１ａ側に立ち、被写体人物は筐体４１の後方縁４１ｂ側に座る。
【００２９】
撮影部１２は、例えば、デジタルカメラやビデオカメラであり、操作部１８を介して、撮影の開始や終了を指示することができる。撮影部１２は、ＩＤカード利用者の顔周辺を撮影して、撮影画像データを生成する。生成された撮影画像データは、表示部１７に表示することができる。
【００３０】
また、筐体４１の上方に照明部１３が設けられている。照明部１３は、撮影部１２の撮影時に、被写体人物に対して照明光を照射する。照明部１３は下端両側に取り付けられた一対の支柱４２により支持されている。
【００３１】
筐体４１の側面のうち、表示部１７側の側面４１Ｂには、外部記録媒体（例えば、ＵＳＢメモリ）に撮影画像データを書き込むリーダライタ１５のＵＳＢ挿入口と、このＵＳＢ挿入口を覆うカバー４３が設けられている。カバー４３には窓４３ａが設けられており、ＵＳＢ挿入口にＵＳＢメモリが挿入されているか否かを視認できるようになっている。
【００３２】
図４は制御部１１の内部構成の一例を示すブロック図である。図４に示すように、制御部１１は、接続処理判定部２１と、第１フラグ設定部２２と、オンライン処理部２３と、マウント処理部２４と、第２フラグ設定部２５と、第３フラグ設定部２６と、第４フラグ設定部２７とを有する。
【００３３】
接続処理判定部２１は、ネットワーク４を介して接続される読込装置３との接続処理に成功したか否かを判定する。接続処理判定部２１は、接続処理に成功した場合は、撮影画像データを撮影装置２から読込装置３に送信可能であると判断する。
【００３４】
第１フラグ設定部２２は、接続処理に成功した場合に、撮影画像データをネットワーク４を介して読込装置３に送信することを指示する第１フラグ情報を設定する。第１フラグ情報は、撮影画像データを撮影装置２から読込装置３にオンラインで送信する場合に設定される。
【００３５】
オンライン処理部２３は、第１フラグ情報が設定されている場合に、撮影画像データをネットワーク４を介して読込装置３に送信する。
【００３６】
マウント処理部２４は、撮影装置２に接続された外部記録媒体のマウント処理を行う。マウント処理とは、外部記録媒体をアクセス可能な状態にする処理である。外部記録媒体のマウント処理に成功すると、撮影装置２が撮影した撮影画像データを外部記録媒体に記憶可能となり、また外部記録媒体中の撮影画像データを読み出し可能になる。
【００３７】
第２フラグ設定部２５は、外部記録媒体のマウント処理に成功した場合に、撮影画像データを外部記録媒体に記録することを示す第２フラグ情報を設定する。第２フラグ情報は、撮影画像データを撮影装置２から読込装置３にオンラインで送信できない場合、すなわちオフライン時に設定される。
【００３８】
第３フラグ設定部２６は、外部記録媒体のマウント処理に失敗した場合に、撮影画像データを第１記憶部１４に記憶することを示す第３フラグ情報を設定する。第３フラグ情報は、オフラインではあるが、外部記録媒体を使えない場合に、撮影装置２内の第１記憶部１４に撮影画像データを記憶する場合に設定される。
【００３９】
後述するように、オンライン処理部２３は、第３フラグ情報が設定されている状態で、接続処理判定部２１にて接続処理に成功したと判定された場合には、第１記憶部１４に記憶されている撮影画像データを、ネットワーク４を介して、すなわちオンラインで読込装置３に送信する。
【００４０】
同様に、後述するように、オンライン処理部２３は、第１フラグ情報が設定されている場合には、新たなＩＤカード発行対象者の撮影画像データを生成するたびに、新たに生成した撮影画像データをネットワーク４を介して読込装置３に送信する。読込装置３内の第２記憶部３１は、複数の撮影装置２からネットワーク４を介して送信された撮影画像データ、または外部記録媒体に記憶されている撮影画像データを記憶する。発行装置５は、所定期間内に同一の撮影装置２で撮影されて第２記憶部３１に記憶された所定数の撮影画像データを一括して所定数のカードに印画する。
【００４１】
第４フラグ設定部２７は、発行装置５が一括して印画する所定数の撮影画像データを読込装置３内の第２記憶部３１に記憶し終わったことを示す第４フラグ情報を設定する。オンライン処理部２３は、第４フラグ設定部２７が第４フラグ情報を設定した場合には、撮影画像データとともに第４フラグ情報を読込装置３に送信する。
【００４２】
読込装置３は、図２に示すように、第２記憶部３１と、第１フラグ判定部３２と、第２フラグ判定部３３と、転送制御部３４とを有する。第１フラグ判定部３２は、第４フラグ情報が設定されているか否かを判定する。第２フラグ判定部３３は、第４フラグ情報は設定されておらず、かつ第２フラグ情報が設定されているか否かを判定する。転送制御部３４は、第１フラグ判定部３２にて第４フラグ情報が設定されていると判定されると、第４フラグ情報を送信した撮影装置２で撮影された所定数の撮影画像データを発行装置５に転送する。また、転送制御部３４は、第２フラグ判定部３３にて第２フラグ情報が設定されていると判定されると、外部記録媒体に記録されている全ての撮影画像データを発行装置５に転送する。
【００４３】
図５は本実施形態による撮影装置２の処理動作を示すフローチャートである。まず、撮影装置２を操作する操作者の認証（オペレータ認証）を行う（ステップＳ１）。オペレータ認証に失敗した場合はステップＳ１に留まり、オペレータ認証に成功した場合は撮影モードを選択する（ステップＳ２）。撮影モードには、オンラインモードとオフラインモードがある。オンラインモードは、ネットワーク４を介して撮影画像データを送信するモードである。オフラインモードは、ネットワーク４を介した撮影画像データの送信を行わないモードである。オフラインモードが選択されるのは、ネットワーク障害によりネットワーク４を介した撮影画像データの送信ができない場合や、撮影画像データを記憶した外部記録媒体を読込装置３に物理的に搬送する場合などである。
【００４４】
オンラインモードかオフラインモードかを設定するモードフラグを設けておけば、図５のステップＳ２では、モードフラグの値により、撮影モードを選択することができる。モードフラグは、撮影データをネットワーク４経由で読込装置３に送信することを指示する第１フラグ情報と、撮影データをネットワーク４経由では読込装置３に送信しないことを指示する第２フラグ情報とを含んでいる。図４に示したように、第１フラグ情報は第１フラグ設定部２２にて設定され、第２フラグ情報は第２フラグ設定部２５にて設定される。
【００４５】
ステップＳ２でオンラインモードが選択されると、読込装置３が撮影画像データを受信可能か否かを確認する接続確認処理を行う（ステップＳ３）。この接続確認処理は接続処理判定部２１が行う。接続処理判定部２１は、読込装置３との接続処理に成功したか否かを判定する（ステップＳ４）。接続処理に成功した場合には、以前に読込装置３に送信するべきであった撮影画像データが残存しているか否かを判定する（ステップＳ５）。このステップＳ５では、何らかの事情で撮影装置２内の第１記憶部１４に未送信の撮影画像データが残っているか否かを判定する。未送信の撮影画像データが残存している場合には、後述するオンライン処理を行う（ステップＳ６）。未送信の撮影画像データが残存していない場合には、第１フラグ情報を設定する（ステップＳ７）。この第１フラグ情報の設定は、撮影画像データをネットワーク４を介して読込装置３に送信することを示している。ステップＳ７の処理は、第１フラグ設定部２２が行う。
【００４６】
一方、ステップＳ４で読込装置３との接続処理に失敗すると、所定回数連続して接続処理に失敗したか否かを判定する（ステップＳ８）。まだ所定回数に達していなければ、ステップＳ４に戻る。所定回数に達した場合には、読込装置３との接続処理に失敗した旨を示す接続エラー情報を表示部１７に表示する（ステップＳ９）。次に、撮影処理を継続するか否かを判定し（ステップＳ１０）、継続しない場合は図５の処理を終了し、継続する場合は、撮影装置２内の第１記憶部１４に撮影画像データを記憶することを指示する第３フラグ情報を設定する（ステップＳ１１）。このステップＳ１１の処理は、第３フラグ設定部２６が行う。
【００４７】
一方、ステップＳ２でオフラインモードが選択されると、リーダライタ１５に挿入された外部記録媒体のマウント処理を行う（ステップＳ１２）。マウント処理では、例えば、リーダライタ１５に挿入された外部記録媒体にアクセス可能か否かのチェックを行う。このステップＳ１２の処理は、マウント処理部２４が行う。
【００４８】
次に、マウント処理に成功したか否かを判定し（ステップＳ１３）。マウント処理に成功した場合は、外部記録媒体に撮影画像データを記憶することを指示する第２フラグ情報を設定する（ステップＳ１４）。このステップＳ１４の処理は、第２フラグ設定部２５が行う。
【００４９】
ステップＳ１３でマウント処理に失敗した場合は、所定回数連続してマウント処理に失敗したか否かを判定し（ステップＳ１５）、まだ所定回数に達していなければステップＳ１３に戻り、所定回数に達していれば、外部記録媒体のマウントに失敗した旨のエラー情報を表示部１７に表示する（ステップＳ１６）。次に、処理を継続するか否かを判定し（ステップＳ１７）、処理を継続する場合には、撮影装置２内の第１記憶部１４に撮影画像データ等を記憶する旨を示す第３フラグ情報を設定する（ステップＳ１８）。このステップＳ１８の処理は、第３フラグ設定部２６が行う。
【００５０】
ステップＳ７、Ｓ１１、Ｓ１４またはＳ１８の処理が終了すると、撮影処理が行われる（ステップＳ１９）。
【００５１】
図６Ａ及び図６Ｂは図５のステップＳ１９の撮影処理の処理動作を示すフローチャートである。まず、撮影装置２の操作者は、操作部１８を介してＩＤカード発行対象者のＩＤ番号を入力する（ステップＳ２１）。次に、操作者は、必要に応じて照明部１３にてＩＤカード発行対象者の顔周辺を照明して、撮影部１２にてＩＤカード発行対象者を撮影する（ステップＳ２２）。次に、操作者は、ＩＤカード発行対象者の申請書をスキャナ１６で電子化して申請書画像データを生成する（ステップＳ２３）。このとき、申請書画像データを生成するとともに、ＯＣＲ機能を利用して申請書の文字情報データを合わせて生成してもよい。なお、ステップＳ２２とＳ２３の処理順序は逆でもよい。
【００５２】
次に、撮影により生成された撮影画像データを表示部１７に表示させて、撮影画像データを承諾するか否かを判定する（ステップＳ２４）。承諾の可否は、操作者が目視で行う。撮影画像データを承諾しない場合には、ステップＳ２１以降の処理を再度行う。撮影画像データを承諾する場合には、撮影画像データと申請書画像データとを関連付けて、撮影装置２内の第１記憶部１４に記憶する（ステップＳ２５）。第１記憶部１４への撮影画像データの記憶指示は、操作者が操作部１８にて行う。
【００５３】
次に、撮影装置２内の第１記憶部１４に保存することを指示する第３フラグ情報が設定されているか否かを判定し（ステップＳ２６）、このフラグ情報が未設定であれば、モードフラグを確認する（ステップＳ２７）。第１フラグ情報にてオンラインモードが設定されていれば、後述するオンライン処理を行う（ステップＳ２８）。一方、第２フラグ情報にてオフラインモードが設定されていれば、撮影装置２内の第１記憶部１４に記憶された撮影画像データと申請書画像データ等を関連づけて外部記録媒体に記憶する（ステップＳ２９）。
【００５４】
ステップＳ２６で第３フラグ情報が設定されていると判定された場合、またはステップＳ２８のオンライン処理が終了した場合、またはステップＳ２９の処理が終了した場合には、撮影を終了するか否かを判定する（ステップＳ３０）。撮影を継続すると判定された場合は、ステップＳ２１以降の処理を繰り返す。撮影を継続しないと判定された場合は、モードフラグを確認する（図６ＢのステップＳ３１）。第１フラグ情報にてオンラインモードが設定されている場合には、読込装置３への全撮影画像データの送信が完了したか否かを判定する（ステップＳ３２）。完了した場合には、第４フラグ情報を撮影完了を示す値に設定して（ステップＳ３３）、図６Ａの処理を終了する。このステップＳ３３の処理は、第４フラグ設定部２７が行う。
【００５５】
ステップＳ３２で、まだ未送信の撮影画像データが残存していると判定されると、処理中ダイアログを表示部１７に表示させる（ステップＳ３４）。次に、処理待ちするか否かを判定し（ステップＳ３５）、処理待ちする場合にはステップＳ３２以降の処理を繰り返し、処理待ちしない場合は、第４フラグ情報を書込完了に設定して（ステップＳ３６）、図６Ａの処理を終了する。このステップＳ３６の処理も第４フラグ設定部２７が行う。第４フラグ設定部２７は、第４フラグ情報を、撮影完了を示す値、書込完了を示す値、または書込中を示す値に設定する。
【００５６】
ステップＳ３１でオフラインモードが設定されると、外部記録媒体のアンマウント処理を行い（ステップＳ３７）、図６Ａの処理を終了する。
【００５７】
図７はオンライン処理部２３が行うオンライン処理の処理動作を示すフローチャートである。まず、第４フラグ情報を書込中を示す値に設定する（ステップＳ４１）。このステップＳ４１の処理は第４フラグ設定部２７が行う。次に、撮影画像データと申請書画像データを関連付けて、ネットワーク４を介して読込装置３に送信する（ステップＳ４２）。次に、第４フラグ情報を書込完了を示す値に設定して（ステップＳ４３）、図７の処理を終了する。このステップＳ４３の処理も第４フラグ設定部２７が行う。
【００５８】
図８は読込装置３の処理動作を示すフローチャートである。まず、読込先が外部記録媒体か否か、すなわちオンラインモードか否かを判定する（ステップＳ５１）。このステップＳ５１では、オンラインモードであると判定されると、第４フラグ情報が撮影完了を示す値か否かを判定する（ステップＳ５２）。このステップＳ５２の処理は、第１フラグ判定部３２が行う。撮影完了を示す値であれば、読込装置３内の第２記憶部３１に記憶された全撮影画像データを、撮影装置２に送信し（ステップＳ５３）、図８の処理を終了する。ステップＳ５２で第４フラグ情報が撮影完了を示す値でなければ、図８の処理を終了する。
【００５９】
一方、ステップＳ５１では、読込先が外部記録媒体か否かの判定も行う。この判定は、第２フラグ判定部３３が行う。ステップＳ５１で外部記録媒体であると判定されると、外部記録媒体のマウント処理を行う（ステップＳ５４）。次に、外部記録媒体内の全撮影画像データを読み込んで、撮影装置２に送信する（ステップＳ５５）。次に、外部記録媒体のアンマウント処理を行い（ステップＳ５６）、図８の処理を終了する。
【００６０】
このように、本実施形態では、撮影装置２で撮影された撮影画像データを申請書画像データ等と関連づけて、ネットワーク４を介して読込装置３に送信できるようにしたため、撮影画像データを記憶した外部記録媒体を撮影装置２から読込装置３まで物理的に搬送しなくて済み、搬送途中での撮影画像データの紛失や損傷を防止できる。また、読込装置３は、別々の拠点に設けられる複数の撮影装置２のそれぞれごとに、所定の期間内に撮影された撮影画像データを一括して読み込んで、発行装置５に転送するため、発行装置５は、各拠点ごとに、所定の期間内に撮影された複数の撮影画像データを一括して複数のカードに印画できる。これにより、それぞれ異なる拠点の複数の撮影装置２で撮影された撮影画像データの印画処理を効率的に行うことができる。
【００６１】
また、本実施形態では、ネットワーク障害等によりオンラインにて撮影画像データを撮影装置２から読込装置３まで送信できない場合には、いったん撮影装置２内の第１記憶部１４に撮影画像を記憶しておき、オンライン送信が可能になった段階で、第１記憶部１４内の撮影画像データを、ネットワーク４を介して読込装置３に送信できるようにしたため、一時的にネットワーク障害が起きた場合にも、撮影処理とＩＤカード発行処理を継続して実施することができる。
【００６２】
さらに、本実施形態では、撮影装置２と読込装置３との間のネットワーク４が何らかの事情で使用できない場合には、従前通り、外部記録媒体に撮影画像データを記憶して、その外部記録媒体を物理的に読込装置３まで搬送するようにしたため、撮影装置２と読込装置３との間のネットワーク４を使用できない場合でも、撮影処理とＩＤカード発行処理を継続して実施することができる。
【００６３】
上述した実施形態で説明したＩＤカード発行システム１の少なくとも一部は、ハードウェアで構成してもよいし、ソフトウェアで構成してもよい。ソフトウェアで構成する場合には、ＩＤカード発行システム１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００６４】
また、ＩＤカード発行システム１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００６５】
本開示の態様は、上述した個々の実施形態に限定されるものではなく、当業者が想到しうる種々の変形も含むものであり、本開示の効果も上述した内容に限定されない。すなわち、特許請求の範囲に規定された内容およびその均等物から導き出される本開示の概念的な思想と趣旨を逸脱しない範囲で種々の追加、変更および部分的削除が可能である。
【符号の説明】
【００６６】
１  ＩＤカード発行システム、２  撮影装置、３  読込装置、４  ネットワーク、５  発行装置、１１  制御部、１２  撮影部、１３  照明部、１４  第１記憶部、１５  リーダライタ、１６  スキャナ、１７  表示部、１８  操作部、２１  接続処理判定部、２２  第１フラグ設定部、２３  オンライン処理部、２４  マウント処理部、２５  第２フラグ設定部、２６  第３フラグ設定部、２７  第４フラグ設定部、３１  第２記憶部、３２  第１フラグ判定部、３３  第２フラグ判定部、３４  転送制御部
【図１】
2019101864.tif 000003
【図２】
2019101864.tif 000004
【図３】
2019101864.tif 000005
【図４】
2019101864.tif 000006
【図５】
2019101864.tif 000007
【図６Ａ】
2019101864.tif 000008
【図６Ｂ】
2019101864.tif 000009
【図７】
2019101864.tif 000010
【図８】
2019101864.tif 000011